(57)【要約】【課題】装置全体が水平方向に大型化することを抑制できる記録装置を提供する。【解決手段】記録媒体１３を支持するプラテン１９と、プラテン１９で支持された記録媒体１３の印刷面に対してインクを噴射する記録ヘッド２７と、プラテン１９から搬送された記録媒体１３に対して、印刷面に付着したインクを乾燥させるための乾燥装置１６とを備えており、プラテン１９と乾燥装置１６とが上下方向において重合配置となるように配置されている。【選択図】図１
2011046096.tif 000002
【特許請求の範囲】
【請求項１】
記録媒体を支持する支持部材と、
前記支持部材で支持された記録媒体の一面に対して記録材を付与する記録ヘッドと、
前記支持部材から搬送された記録媒体に対して、前記一面に付着した記録材を定着させるための定着ユニットとを備えており、
前記支持部材と前記定着ユニットとが上下方向において重合配置となるように配置されていることを特徴とする記録装置。
【請求項２】
請求項１に記載の記録装置において、
前記記録材が付着された記録媒体が前記定着ユニットを出るまでは前記一面が凹面とならないように前記記録媒体を案内し、前記記録媒体が前記定着ユニットを出た後に前記一面が凹面となるように前記記録媒体を屈曲させて案内する媒体ガイドを備えることを特徴とする記録装置。
【請求項３】
請求項１又は請求項２に記載の記録装置において、
前記記録媒体は、複数の部材が積層されて構成されており、
前記記録媒体の搬送経路上における前記支持部材と前記定着ユニットの間に設けられ、前記搬送経路を屈曲させて前記記録媒体の搬送方向を転換させる第１の搬送方向転換手段と、
前記定着ユニットよりも前記搬送経路の下流側位置に設けられ、前記搬送経路を屈曲させて前記記録媒体の搬送方向を転換させる第２の搬送方向転換手段と、
を更に備え、
前記第２の搬送方向転換手段によって形成される前記搬送経路の曲部の曲率は、前記第１の搬送方向転換手段によって形成される前記搬送経路の曲部の曲率よりも小さくなるように設定されていることを特徴とする記録装置。
【発明の詳細な説明】
【技術分野】
【０００１】
本発明は、例えばインクジェット式プリンターなどの記録装置に関する。
【背景技術】
【０００２】
従来から、ターゲットに対して記録材を付着させて記録を施す記録装置の一種として、インクジェット式プリンター（以下、「プリンター」という。）が広く知られている。また、近年では、こうしたプリンターを用いて、連続紙（ターゲット）に対して液体（記録材）を噴射することにより、後に切り抜いてラベルとして用いる多数の単位画像を連続して印刷する技術が提案されている（例えば、特許文献１参照）。
【０００３】
すなわち、特許文献１に記載のプリンターは、連続紙の搬送経路の途中位置にプラテンが設けられており、該プラテン上に搬送停止した状態にある連続紙に対してインク（記録材）を噴射して印刷を行う。続いて、連続紙の搬送経路におけるプラテンの下流側近傍に設けられた強制乾燥領域にて、連続紙に形成されたインクによる印刷像を加熱して強制的に乾燥させる。その後、連続紙の搬送経路における強制乾燥領域よりも下流側に設けられた巻き取り駆動軸によって、強制乾燥領域にてインクによる印刷像が強制乾燥された連続紙を巻き取る。
【先行技術文献】
【特許文献】
【０００４】
【特許文献１】特開２００９−７３０１２号公報
【発明の概要】
【発明が解決しようとする課題】
【０００５】
ところで、特許文献１に記載のプリンターでは、プラテン及び強制乾燥領域が水平方向にそれぞれ独立した設置スペースを占めるように設けられているため、装置全体が水平方向に大型化するという問題があった。
【０００６】
本発明は、このような事情に鑑みてなされたものであり、その目的は、装置全体の水平方向の大型化を抑制することができる記録装置を提供することにある。
【課題を解決するための手段】
【０００７】
上記目的を達成するために、本発明の記録装置は、記録媒体を支持する支持部材と、前記支持部材で支持された記録媒体の一面に対して記録材を付与する記録ヘッドと、前記支持部材から搬送された記録媒体に対して、前記一面に付着した記録材を定着させるための定着ユニットとを備えており、前記支持部材と前記定着ユニットとが上下方向において重合配置となるように配置されている。
【０００８】
上記構成によれば、支持部材及び定着ユニットは、平面視において少なくとも一部が重畳するように配置される。そのため、これらの部材の設置スペースが水平方向において共有されるため、これらの部材の設置スペースに関して省スペース化を図ることができ、結果として、装置全体の水平方向の大型化を抑制することができる。
【０００９】
また、本発明の記録装置において、前記記録材が付着された記録媒体が前記定着ユニットを出るまでは前記一面が凹面とならないように前記記録媒体を案内し、前記記録媒体が前記定着ユニットを出た後に前記一面が凹面となるように前記記録媒体を屈曲させて案内する媒体ガイドを備える。
【００１０】
上記構成によれば、記録媒体に付着した記録材が定着ユニットによって定着される前時点では、記録材が付着した面に接触することなく記録媒体の搬送方向が転換される。そのため、支持部材と定着ユニットとが上下方向において重合配置となるように設けられ、該定着ユニットに向けて記録媒体の搬送方向を転換させる場合であっても、支持部材上で記録媒体に形成された記録像が乱れることを抑制できる。
【００１１】
また、本発明の記録装置において、前記記録媒体は、複数の部材が積層されて構成されており、前記記録媒体の搬送経路上における前記支持部材と前記定着ユニットの間に設けられ、前記搬送経路を屈曲させて前記記録媒体の搬送方向を転換させる第１の搬送方向転換手段と、前記定着ユニットよりも前記搬送経路の下流側位置に設けられ、前記搬送経路を屈曲させて前記記録媒体の搬送方向を転換させる第２の搬送方向転換手段と、を更に備え、前記第２の搬送方向転換手段によって形成される前記搬送経路の曲部の曲率は、前記第１の搬送方向転換手段によって形成される前記搬送経路の曲部の曲率よりも小さくなるように設定されている。
【００１２】
一般に、記録媒体は、定着ユニットを通過する過程で加熱されると、積層された複数の部材を接着する接着剤の接着力が弱められる。この点、上記構成によれば、記録媒体の搬送方向は、定着ユニットよりも搬送経路の下流側位置で第２の搬送方向転換手段によってなだらかに転換されるため、積層された複数の部材が互いに剥離することを抑制できる。
【図面の簡単な説明】
【００１３】
【図１】本実施形態の記録装置の概略構成図。
【図２】本実施形態の乾燥装置の断面図。
【図３】（ａ）は別の実施形態の記録装置の概略構成図、（ｂ）は別の実施形態の乾燥装置の断面図。
【図４】（ａ）は別の実施形態の記録装置の概略構成図、（ｂ）は別の実施形態の乾燥装置の断面図。
【図５】（ａ）は別の実施形態の乾燥装置の断面図、（ｂ）は別の実施形態の乾燥装置の断面図。
【発明を実施するための形態】
【００１４】
以下、本発明をインクジェット式プリンター（以下、「プリンター」という）に具体化した一実施形態を図１及び図２に従って説明する。なお、以下における明細書中の説明において、「前後方向」、「左右方向」、「上下方向」をいう場合は、図１に矢印で示した方向を基準として示すものとする。
【００１５】
図１に示すように、記録装置としてのプリンター１１は、直方体状の本体ケース１２を備えている。本体ケース１２内には、長尺状の記録媒体１３を繰り出す繰り出し部１４と、その記録媒体１３に記録材としてのインクの噴射により印刷が施される印刷室１５と、その印刷によりインクが付着した記録媒体１３に乾燥処理を施す定着ユニットとしての乾燥装置１６と、そのように乾燥処理が施された記録媒体１３を巻き取る巻き取り部１７が設けられている。
【００１６】
すなわち、本体ケース１２内における上下方向の中央部よりもやや上寄りの位置には、本体ケース１２内を上下に区画する平板状の基台１８が設けられており、この基台１８よりも上側の領域が矩形板状の支持部材としてのプラテン１９を基台１８上に支持してなる印刷室１５となっている。そして、基台１８よりも下側の領域において、記録媒体１３の搬送方向で上流側となる左側寄りの位置に、繰り出し部１４が配設されているとともに、下流側となる右側寄りの位置に、乾燥装置１６及び巻き取り部１７が配設されている。
【００１７】
なお、本実施形態では、図２に示すように、記録媒体１３は、印刷室１５においてインクが噴射されて印刷が施されるシール材１３ａ及び該シール材１３ａが剥離可能に接着される基材フィルム１３ｂを積層して構成されている。
【００１８】
図１に示すように、繰り出し部１４には、前後方向に延びる巻き軸２０が回転自在に設けられ、その巻き軸２０に対して記録媒体１３が予めロール状に巻かれた状態で巻き軸２０と一体回転可能に支持されている。すなわち、記録媒体１３は、巻き軸２０が回転することにより、繰り出し部１４から繰り出されて搬送方向の下流側に搬送されるようになっている。また、繰り出し部１４の右方には、巻き軸２０から繰り出された記録媒体１３を右側下方から巻き掛けることにより、その記録媒体１３の搬送方向を鉛直上方向に転換する第１ローラー２１が巻き軸２０と平行な態様で前後方向に延びるように設けられている。
【００１９】
一方、印刷室１５内において、プラテン１９の左側であって下側の第１ローラー２１と上下方向で対応する位置には、第２ローラー２２が下側の第１ローラー２１と平行な態様で前後方向に延びるように設けられている。そして、第１ローラー２１によって搬送方向が鉛直上方向に転換された記録媒体１３は、この第２ローラー２２に左側下方から巻き掛けられることにより、その搬送方向が水平右方向に転換されてプラテン１９の上面に摺接するようになっている。
【００２０】
また、印刷室１５内において、プラテン１９の右側には、プラテン１９を挟んで左側の第２ローラー２２と左右方向で対向する第３ローラー２３が第２ローラー２２と平行な態様で前後方向に延びるように設けられている。なお、第２ローラー２２及び第３ローラー２３は各々の周面の頂部がプラテン１９における記録媒体１３を支持する上面１９ａと同一高さとなるように各々の設置される位置が調整されている。そのため、印刷室１５内で左側の第２ローラー２２により搬送方向が水平右方向に転換された記録媒体１３は、プラテン１９の上面１９ａに摺接しつつ下流側となる右側に搬送されるようになっている。なお、プラテン１９には、プラテンヒーター１９ｂが埋設されており、プラテン１９の上面１９ａに支持された記録媒体１３を加熱するようになっている。
【００２１】
また、印刷室１５内におけるプラテン１９の前後両側には、左右方向に延びるガイドレール２４（図１では２点鎖線で示す）が対をなすように設けられている。ガイドレール２４の上面はプラテン１９の上面１９ａよりも高くなっており、両ガイドレール２４の上面には、矩形状のキャリッジ２５が図示しない駆動機構の駆動に基づき両ガイドレール２４に沿って左右方向への往復移動可能な状態で支持されている。そして、このキャリッジ２５の下面側には支持板２６を介して記録ヘッド２７が支持されている。
【００２２】
印刷室１５内においては、プラテン１９の左端から右端までの一定範囲が印刷領域とされており、記録媒体１３はこの印刷領域単位で間欠的に搬送されるようになっている。そして、この印刷領域単位での間欠搬送によってプラテン１９上に停止した状態にある記録媒体１３に対してキャリッジ２５の往復移動に伴い記録ヘッド２７からインクが噴射されることで記録媒体１３に対して印刷が施されるようになっている。また、印刷室１５内において、第３ローラー２３よりも右側となる非印刷領域には、非印刷時に記録ヘッド２７のメンテナンスを行うためのメンテナンス機構２８が設けられている。
【００２３】
乾燥装置１６は、プラテン１９に対して上下方向において重合配置となるように配置されており、プラテン１９に対して平面視で部分的に重畳する構成となっている。そして、印刷室１５内において印刷が施された記録媒体１３は、第３ローラー２３に右側上方から巻き掛けられることにより搬送方向が鉛直下方向に転換されて基台１８よりも下側の乾燥装置１６に向けて搬送される。すなわち、第３ローラー２３は、プラテン１９よりも記録媒体１３の搬送経路の下流側位置にて、記録媒体１３の搬送経路を屈曲させて記録媒体１３の搬送方向を転換させる第１の搬送方向転換手段として機能する。また、第３ローラー２３は、記録媒体１３が乾燥装置１６に搬入される前に、印刷室１５において印刷が施される印刷面（一面）の裏面側から記録媒体１３に対して接触することにより、記録媒体１３の印刷面が凹面とならないように記録媒体１３の搬送方向を転換する媒体ガイドとしても機能する。
【００２４】
また、記録媒体１３は、乾燥装置１６内をガイド部材３０に搬送方向をガイドされながら通過することにより、印刷室１５内において印刷が施された印刷面に対して乾燥処理が施される。そして、乾燥装置１６から鉛直上方向に搬出される記録媒体１３は、第４ローラー３１に巻き掛けられて搬送方向が鉛直下方向に転換される。すなわち、第４ローラー３１は、乾燥装置１６よりも記録媒体１３の搬送経路の下流側位置にて、記録媒体１３の搬送経路を屈曲させて記録媒体１３の搬送方向を転換させる第２の搬送方向転換手段として機能する。また、第４ローラー３１は、記録媒体１３が乾燥装置１６から搬出された後に、印刷室１５において印刷が施される印刷面側から記録媒体１３に対して接触することにより、記録媒体１３の印刷面が凹面となるように記録媒体１３の搬送方向を転換する媒体ガイドとしても機能する。
【００２５】
なお、第４ローラー３１の回転径は、第３ローラー２３の回転径よりも大きくなるように構成されている。そして、第４ローラー３１によって形成される記録媒体１３の搬送経路の曲部３１ａの曲率は、第３ローラー２３によって形成される記録媒体１３の搬送経路の曲部２３ａの曲率よりも小さくなるように設定されている。
【００２６】
また、第４ローラー３１によって搬送方向が鉛直下方向に転換された記録媒体１３は、第５ローラー３２に左側上方から巻き掛けられる。そして、記録媒体１３は、その搬送方向が第５ローラー３２によって水平右方向に転換された後、第５ローラー３２の右方に位置する巻き取り部１７に向けて搬送される。
【００２７】
巻き取り部１７には、第５ローラー３２と平行な態様で前後方向に延びる搬送手段としての巻き取り軸３３が設けられており、この巻き取り軸３３に対して記録媒体１３の搬送方向の下流端となる先端が巻きつけられている。そして、巻き取り軸３３が図示しない搬送モーターの駆動力に基づいて回転駆動することにより、記録媒体１３が巻き取り軸３３に順次巻き取られるようになっている。
【００２８】
次に、乾燥装置１６の構成について詳述する。
図２に示すように、乾燥装置１６は、内部が中空の箱体状をなす筐体３４を備えている。筐体３４の左側壁部の下部には給気口３５が開口形成され、該給気口３５には給気ダクト３６を介して温風送風機構３７が接続されている。そして、温風送風機構３７は、給気ダクト３６を介して筐体３４内に供給する温風によって筐体３４の内部空間３８を加熱するようになっている。
【００２９】
また、筐体３４の上壁部の略中央には排気口３９が開口形成され、該排気口３９には排気ダクト４０を介して排気ファン４１が接続されている。そして、筐体３４の内部空間３８から温風により加熱された空気が排気ファン４１の駆動に伴い排気ダクト４０を介して筐体３４外に排気されるようになっている。すなわち、筐体３４の内部空間３８には加熱された空気の流動が生じるようになっている。
【００３０】
さらに、筐体３４の上壁部には、左右一対の通過口４２，４３が排気口３９を左右から挟んで互いに離間した位置態様となるように開口形成されている。なお、これらの通過口４２，４３は、各々の前後方向の幅寸法が記録媒体１３の前後方向の幅寸法よりも大きく形成されており、記録媒体１３を通過させることが可能となっている。
【００３１】
また、筐体３４内には、正面視略Ｕ字状をなすガイド部材３０が、その左右一対の上端部を各々対応する通過口４２，４３と位置合わせするようにして筐体３４の上壁部に連結された状態で設けられている。また、筐体３４内には、複数（本実施形態では１２個）の軸流ファン４４が、筐体３４内において記録媒体１３の搬送経路を形成するガイド部材３０の表面に沿って横並び状態となるように、且つ、各々の送風方向がガイド部材３０の表面に沿う記録媒体１３の印刷面に対して略垂直となるように配置されている。そして、軸流ファン４４は、温風送風機構３７によって加熱された筐体３４内の空気を記録媒体１３の印刷面に向けて温風として送風することにより、筐体３４の内部空間３８における記録媒体１３の印刷面の乾燥を促進させるようになっている。
【００３２】
次に、上記のように構成されたプリンター１１の作用について、特に、記録媒体１３の印刷面が乾燥装置１６内を通過する過程で加熱されて定着される際の作用に着目して以下説明する。
【００３３】
さて、プリンター１１の稼動を開始した直後において、まず、乾燥装置１６は、温風送風機構３７を稼動させることにより、温風送風機構３７から筐体３４の内部空間３８に温風を送風する。すると、筐体３４の内部空間３８に収容された空気は加熱されて次第に温度が上昇する。このとき、ガイド部材３０は、筐体３４の内部空間３８の空気が加熱されるに連れて、その加熱された空気によって筐体３４の内部空間３８とほぼ等しい温度となるまで加熱される。
【００３４】
続いて、ガイド部材３０の温度が安定した時点で、搬送モーターを駆動して巻き取り軸３３を回転駆動させる。すると、巻き取り軸３３の回転駆動に伴って、記録媒体１３の搬送方向の下流端となる先端が巻き取り軸３３に順次巻き取られる。そして、印刷室１５において印刷が施された記録媒体１３は、第３ローラー２３によって搬送方向が鉛直下方向に転換された状態で乾燥装置１６に向けて搬送される。
【００３５】
ここで、印刷室１５において印刷が施された記録媒体１３は、プラテンヒーター１９ｂによって加熱されたプラテン１９の上面１９ａを介して加熱される。すると、記録媒体１３に付着したインクに含まれる水分が蒸発することによりインクの粘性が増大する。そのため、プラテン１９の上面１９ａから乾燥装置１６に向けて記録媒体１３の搬送方向が鉛直下方向に転換されたとしても、記録媒体１３に付着したインクが重力に従って垂れることはなく、記録媒体１３に形成された印刷像が乱れることが抑制される。
【００３６】
また、記録媒体１３の搬送経路は、プラテン１９と乾燥装置１６の間に設けられた第３ローラー２３によって記録媒体１３の印刷面が凹面状をなすように屈曲されることはない。そのため、記録媒体１３に形成された印刷像は、筐体３４の内部空間３８で加熱されて記録媒体１３に十分に定着する前段階で第３ローラー２３に対して接触することがないため、記録媒体１３に形成された印刷像が乱れることが抑制される。
【００３７】
そして、乾燥装置１６に搬送された記録媒体１３は、乾燥装置１６の筐体３４の上壁部に設けられた一対の通過口４２，４３のうち、右方に位置する通過口４２を通じてインクが噴射された印刷面を右側に向けた状態で筐体３４の内部空間３８に進入する。続いて、筐体３４の内部空間３８に進入した記録媒体１３は、インクが噴射された印刷面の裏面側をガイド部材３０の表面に対して接触させた状態で筐体３４の内部空間３８を通過する。そのため、記録媒体１３は、筐体３４の内部空間３８とほぼ等しい温度にあるガイド部材３０の表面を介して印刷面の裏面側から加熱される。
【００３８】
また、記録媒体１３の印刷面には、軸流ファン４４から筐体３４の内部空間３８の加熱された空気が略垂直に送風される。すると、記録媒体１３の印刷面は、軸流ファン４４から送風される温風によって加熱されると同時に、記録媒体１３の印刷面上に浮遊するインク蒸気層及びインク溶媒蒸気層は、記録媒体１３の印刷面上から適宜除去される。
【００３９】
なお、記録媒体１３の印刷面は、筐体３４の内部空間３８において印刷像が加熱されて記録媒体１３に十分に定着する前段階では、第３ローラー２３に対して接触することはなく、記録媒体１３における印刷面の裏面側のみが第３ローラー２３に対して接触する。そのため、記録媒体１３は、該記録媒体１３の印刷面及び該印刷面とは反対側の裏面の双方が一対のローラーによって挟持される場合と比較して、第３ローラー２３による支持態様が不安定となっている。したがって、記録媒体１３は、筐体３４の内部空間３８において軸流ファン４４から温風が送風されると、記録媒体１３の印刷面に形成された印刷像が記録媒体１３に対して十分に定着していない状態で大きくばたつくことにより、記録媒体１３に形成された印刷像が乱れる虞があった。
【００４０】
この点、本実施形態によれば、記録媒体１３は、筐体３４の内部空間３８においてガイド部材３０によって印刷面の裏面側から支持される。そのため、記録媒体１３は、軸流ファン４４から温風が送風されたとしても、記録媒体１３の印刷像がばたつくことはほとんどなく、記録媒体１３に形成された印刷像が乱れることが抑制される。
【００４１】
また、軸流ファン４４から記録媒体１３の印刷面に送風された空気は、ガイド部材３０における記録媒体１３に対する接触面の裏面側の空間域に回り込む。そして、この空気は、記録媒体１３の印刷面上から除去したインク及びインク溶媒を多量に含有した状態で排気ダクト４０を介して筐体３４の内部空間３８から迅速に排気される。そのため、乾燥装置１６が長期間に亘って稼動される場合であっても、記録媒体１３の印刷面から揮発したインク及びインク溶媒が筐体３４の内部空間３８に滞留することはほとんどない。
【００４２】
その後、記録媒体１３は、乾燥装置１６の筐体３４の上壁部に設けられた一対の通過口４２，４３のうち、左方に位置する通過口４３を通じて筐体３４外に搬出される。ここで、記録媒体１３の搬送方向は、筐体３４の内部空間３８で定着処理が施された直後では、第４ローラー３１によってなだらかに転換される。そのため、記録媒体１３は、シール材１３ａと基材フィルム１３ｂを接着する接着剤が筐体３４の内部空間３８で加熱されて半溶融状態となることにより接着力が弱まった状態であっても、シール材１３ａが基材フィルム１３ｂから剥離することが抑制される。そして、記録媒体１３は、筐体３４の内部空間３８を通過する過程で印刷面が定着された状態で、第４ローラー３１及び第５ローラー３２によって搬送方向が順次転換された後、巻き取り軸３３によって巻き取られる。
【００４３】
本実施形態によれば、以下の効果を得ることができる。
（１）上記実施形態では、プラテン１９及び乾燥装置１６は、平面視において部分的に重畳するように配置される。そのため、これらの部材の設置スペースが水平方向において部分的に共有されるため、これらの部材の設置スペースに関して省スペース化を図ることができ、結果として、装置全体の水平方向の大型化を抑制することができる。
【００４４】
（２）上記実施形態では、記録媒体１３に付着したインクが乾燥装置１６によって乾燥される前時点では、インクが付着した面に接触することなく記録媒体１３の搬送方向が転換される。そのため、プラテン１９と乾燥装置１６とが上下方向において重合配置となるように設けられ、該乾燥装置１６に向けて記録媒体１３の搬送方向を転換させる場合であっても、プラテン１９上で記録媒体１３に形成された印刷像が乱れることを抑制できる。
【００４５】
（３）上記実施形態では、記録媒体１３におけるインクが付着した領域には、乾燥装置１６の定着領域となる筐体３４の内部空間３８において温風送風機構３７によって加熱された空気が軸流ファン４４から送風されるため、記録媒体１３に付着したインクを確実に乾燥させて定着させることができる。また、記録媒体１３には、乾燥装置１６の筐体３４の内部空間３８においてガイド部材３０によって支持された状態で軸流ファン４４から空気が送風されるため、記録媒体１３が乾燥装置１６の筐体３４の内部空間３８で軸流ファン４４から空気が送風されることに伴ってばたつくことはほとんどなく、記録媒体１３に形成された印刷像が乱れることを抑制できる。
【００４６】
（４）上記実施形態では、記録媒体１３に付着したインクは、プラテン１９上を通過する過程で、プラテン１９の上面を介して加熱されることにより部分的に固化して粘性が増大する。そのため、プラテン１９よりも搬送経路の下流側位置で記録媒体１３の搬送方向が転換される場合であっても、記録媒体１３に付着したインクが重力に従って垂れることはほとんどなく、記録媒体１３に形成された印刷像が乱れることを抑制できる。
【００４７】
（５）上記実施形態では、記録媒体１３は、乾燥装置１６の定着領域を通過する過程で加熱されると、シール材１３ａと基材フィルム１３ｂを接着する接着剤の接着力が弱められるが、記録媒体１３の搬送方向は、乾燥装置１６の定着領域よりも搬送経路の下流側で第４ローラー３１によってなだらかに転換されるため、シール材１３ａと基材フィルム１３ｂが互いに剥離することを抑制できる。
【００４８】
なお、上記実施形態は以下のように変更してもよい。
・上記実施形態において、図３（ａ）（ｂ）に示すように、乾燥装置１６は、ガイド部材３０が筐体３４の内部空間３８においてプラテン１９の上面１９ａに沿って水平に延びるように構成してもよい。この構成では、乾燥装置１６とプラテン１９とが上下方向において重合配置となるように配設されるため、乾燥装置１６の設置スペースをプラテン１９の設置スペースに対して水平方向に独立して設けることが不要となる。したがって、乾燥装置１６の設置スペースの省スペース化を図ることができるため、プリンター１１が水平方向に大型化することを抑制できる。なお、この構成において、記録媒体１３の搬送経路上における第３ローラー２３と乾燥装置１６との間に記録媒体１３の搬送方向を略水平に転換する転換ローラー４５を設ける場合、転換ローラー４５は、記録媒体１３に対して印刷面の裏面側から接触して、記録媒体１３の印刷面を凹面状に屈曲させない構成とすることが望ましい。
【００４９】
・上記実施形態において、図４（ａ）（ｂ）に示すように、乾燥装置１６は、ガイド部材１３０が筐体３４の内部空間３８において略Ｕ字状に湾曲した構成としてもよい。この構成によれば、ガイド部材１３０は、筐体３４の内部空間３８において記録媒体１３に対して印刷面の裏面側から支持する機能と、記録媒体１３の搬送経路を湾曲させて記録媒体１３の搬送方向を転換する機能を兼備した構成となる。そのため、乾燥装置１６を構成する部品点数が低減されることにより、プリンター１１の小型化に寄与することができる。なお、この構成において、乾燥装置１６は、第２の搬送方向転換手段としてのガイド部材１３０によって記録媒体１３の搬送経路上に形成される曲部１３０ａの曲率が、第１の搬送方向転換手段としての第３ローラー２３及び転換ローラー４５によって記録媒体１３の搬送経路上に形成される曲部２３ａ，４５ａの曲率よりも小さくなるように構成することが望ましい。
【００５０】
・上記実施形態において、図５（ａ）（ｂ）に示すように、乾燥装置１６は、ガイド部材３０における記録媒体１３に対する接触面に対向するようにスリット板４６を設ける構成としてもよい。この構成によれば、記録媒体１３には、スリット板４６に設けられたスリット孔４６ａを介して印刷面に対して略垂直に空気流が作用するため、記録媒体１３の印刷面の乾燥を促進させることができる。
【００５１】
・上記実施形態において、乾燥装置１６は、筐体３４の内部空間３８において記録媒体１３の印刷面に対向するように輻射ヒーターを設ける構成としてもよい。この場合、記録媒体は、筐体３４の内部空間３８において輻射ヒーターから輻射される輻射熱によってばたつくことはほとんどないため、乾燥装置１６は、記録媒体１３を支持する支持部を具備しない構成を採用することも可能となる。
【００５２】
・上記実施形態において、第４ローラー３１が記録媒体１３の搬送経路上に形成する曲部３１ａの曲率は、第３ローラー２３が記録媒体１３の搬送経路上に形成する曲部２３ａの曲率よりも大きくなるように設計してもよい。すなわち、第４ローラー３１は、記録媒体１３が乾燥装置１６において定着処理が施された直後にシール材１３ａ及び基材フィルム１３ｂを剥離させることがないように、記録媒体１３の搬送方向を十分になだらかに転換する構成であれば任意の構成を採用することができる。
【００５３】
・上記実施形態において、プラテン１９の上面１９ａを加熱するプラテンヒーター１９ｂを設けない構成としてもよい。この場合、印刷室１５において記録媒体１３の印刷面に噴射されるインクとして十分な粘性を有するインクを採用し、記録媒体１３の搬送方向が鉛直下方向に転換された際に、インクが重力に従って垂れることがないようにすることが望ましい。
【００５４】
・上記実施形態において、乾燥装置１６は、筐体３４の内部空間３８を加熱するヒーターを設け、軸流ファン４４から記録媒体１３に向けて送風する温風を筐体３４の内部空間３８で循環させる構成としてもよい。この場合、筐体３４の内部空間３８を循環する空気流の流路の途中位置に、記録媒体１３の印刷面から揮発したインク及びインク溶媒を吸着して回収するための吸着フィルターを設けることが望ましい。
【００５５】
・上記実施形態において、記録ヘッド２７から記録媒体１３の印刷面に向けて噴射されるインクとしてＵＶ（Ul tra Violet）硬化性を有するインクを用いてもよい。この場合、記録媒体１３に付着したインクを定着させる定着ユニットとして、記録媒体１３の搬送経路上において記録媒体１３の印刷面に対向するようにＵＶ光源部を備えたＵＶ照射装置を採用することができる。
【００５６】
・上記実施形態において、記録媒体１３を構成する複数の部材として任意の部材の組み合わせを採用してもよい。また、記録媒体１３は、単一の部材からなる構成としてもよい。
【００５７】
・上記実施形態において、記録媒体１３は、巻き取り軸３３の回転駆動に伴って連続的に搬送される構成であってもよい。
・上記実施形態では、記録装置をインクジェット式プリンターに具体化したが、この限りではなく、インク以外の他の液体（機能材料の粒子が液体に分散又は混合されてなる液状体、ゲルのような流状体を含む）を噴射したり吐出したりする液体噴射装置に具体化することもできる。例えば、液晶ディスプレイ、ＥＬ（エレクトロルミネッセンス）ディスプレイ及び面発光ディスプレイの製造などに用いられる電極材や色材（画素材料）などの材料を分散又は溶解のかたちで含む液体（液状体）を噴射する液体噴射装置、バイオチップ製造に用いられる生体有機物を噴射する液体噴射装置、精密ピペットとして用いられ試料となる液体を噴射する液体噴射装置であってもよい。さらに、時計やカメラ等の精密機械にピンポイントで潤滑油を噴射する液体噴射装置、光通信素子等に用いられる微小半球レンズ（光学レンズ）などを形成するために紫外線硬化樹脂等の透明樹脂液を基板上に噴射する液体噴射装置、基板などをエッチングするために酸又はアルカリ等のエッチング液を噴射する液体噴射装置、ゲル（例えば物理ゲル）などの液体（流状体）を噴射する液体噴射装置であってもよい。そして、これらのうち何れか一種の液体噴射装置に本発明を適用することができる。
【符号の説明】
【００５８】
１１…記録装置としてのプリンター、１３…記録媒体、１３ａ…複数の部材を構成するシール材、１３ｂ…複数の部材を構成する基材フィルム、１６…定着ユニットとしての乾燥装置、１９…支持部材としてのプラテン、２３…第１の搬送方向転換手段としての第３ローラー、２３ａ…曲部、３１…第２の搬送方向転換手段としての第４ローラー、３１ａ…曲部、３３…搬送手段としての巻き取り軸、４５…第２の搬送方向転換手段としての転換ローラー、４５ａ…曲部、１３０…支持部及び第２の搬送方向転換手段としてのガイド部材、１３０ａ…曲部。
【図１】
2011046096.tif 000003
【図２】
2011046096.tif 000004
【図３】
2011046096.tif 000005
【図４】
2011046096.tif 000006
【図５】
2011046096.tif 000007